(57)【要約】      （修正有）【課題】密封性を必要とする内容物、たとえば乾燥を嫌うウェットティッシュ等を収納する容器として用いることが出来て、しかも繰り返し使用することが出来る、かんたんに製造することが出来る容器を提供すること。【解決手段】上面に取出し蓋を設けた取出し口３を備えた箱型の上蓋４と、該上蓋４と嵌合可能な底蓋１０からなる箱型容器１において、該底蓋１０上面の少なくとも２箇所に底蓋１０と一体に形成された、繰り返して起立と倒伏が可能な底上げブレードａと、該底上げブレードａを固定するための固定用部材ｂとを備えていることを特徴とする底嵩上げ機能を有する箱型容器１。【選択図】図１
2014024588.tif 000002
【特許請求の範囲】
【請求項１】
上面に取出し蓋を設けた取出し口を備えた箱型の上蓋と、該上蓋と嵌合可能な底蓋からなる箱型容器において、該底蓋上面の少なくとも２箇所に底蓋と一体に形成された、繰り返して起立と倒伏が可能な底上げブレードと、該底上げブレードを固定するための固定用部材とを備えていることを特徴とする底嵩上げ機能を有する箱型容器。
【発明の詳細な説明】
【技術分野】
【０００１】
本発明は底の嵩上げ構造を有する箱型容器に関し、とくに底上げ機能を有するウェットティッシュ容器に関する。
【背景技術】
【０００２】
従来のティッシュペーパー用箱は単に箱の上面に取り出し用切り取り線を設けただけのものであったので、箱の上面に設けた切り取り線に沿って切除して箱の上面に取り出し口を設け、この取り出し口より箱に収容したティッシュペーパーを取り出して使用しているが、使用していると箱の上面の取り出し口と残りのティッシュペーパーとの間隔が次第に大きくなっていくから、箱よりティッシュペーパーが取り出しにくくなるという欠点がある。
上記の欠点に対して特許文献１から特許文献４においてはいくつかの対策が提案されている。
【０００３】
すなわち、特許文献１においては、ティッシュペーパー収納箱の底部に、裂開部により形成された折込み部分を設け、この折込み部分を内部に折込むことにより内部のティッシュペーパーを持ち上げ得るようにしたことを特徴とする箱入りティッシュペーパーが提案されている。
【０００４】
この提案では図５にその一例の底面図と側断面図を示すように、底部に対称な２箇所の折込部分を設けて、箱の上面の取出し口との間隔が離れていったときに指等でこの折込部分を内部に折り込んで図５（Ｂ）のようにティッシュペーパーの底部を持ち上げ、箱の上面の取出し口から取り出しやすくすることが出来る収納箱が示されている。
【０００５】
また、特許文献２においては、ティッシュペーパー収納箱の底部に、２本の平行する端辺部、概ね平行な２本の側辺部、および前記側辺部に挟まれ少なくとも中央部分が該側辺部と鋭角を成しているような共辺部とから成る略Ｓ字または逆略Ｓ字形の裂開可能部を設けたことを特徴とするティッシュペーパー収納箱が提案されている。
【０００６】
この提案では図６にその一例の底面図と側断面図を示すように、底部にＳ字状のミシン目を設けて箱の上面の取出し口との間隔が離れていったときに指等でこの列開可能部を内部に折り込んで図６（Ｂ）のようにティッシュペーパーの底部を持ち上げ、箱の上面の取出し口から取り出しやすくすることが出来るティッシュペーパー収納箱が示されている
【０００７】
また、特許文献３においては、上面に取出口用切取線を設けたティッシュペーパーの紙箱において、該箱の底壁に、頂部にはその中間に凹みを形成して切取線を設けるとともに基部には頂部の凹みに対応する所までの一方に直線状の切取線を設け、頂部の凹みに対応する所までの他方に直線状の係止片用折り線を設け、更に該頂部の切取線と基部の切取線の外側端部との間にそれぞれ連続して切り取り線を設けて係止片形成用切取線を設け、該係止片形成用切取線の頂部の凹みに対応する所の両外側に基部の係止片形成用切取線とほぼ直角方向に押上片用折り線を設け、該押上片用折り線の端部にほぼ連続して逆コ字形またはコ字形などの押上片形成用切取線を、係止片形成用切取線の基部の切取線を設けた側に設けてなる、図７にその一例の底面図と側断面図を示すようなティッシュペーパー用箱が提案されている。
【０００８】
箱の上面の取出し口との間隔が離れていったときに、押上片を折り線に沿って箱の中へと折り曲げて箱の底壁とほぼ直角に立て、係止片を形成して出来た押上片の孔の端部壁に
係止片の頂部の凹みを入れてから、係止片を折り線に沿って箱の側壁とほぼ直角に立てることにより係止片の凹みが押上片の孔の隅部にかみあった状態になるために係止片が押上片を係止する。
係止片で係止することにより押上片は箱の底壁より垂直に立ち上がった状態で停止するので箱に収容した残りのティッシュペーパーを図７（Ｂ）のように押し上げるから箱の上面の取出し口から取り出しやすくすることが出来る。
【０００９】
また、特許文献４においては、
底板、側板、上板、妻板等より構成されるケース状箱において、上板の中央部に切取線によって取出部を形成し、底板の側部に切取線と折曲線とによって折曲片を形成するとともにこの折曲片を折曲げた際に支持固定し得る支持脚片を切取線と折曲線とによって該折曲片に直交する如く底板の一部に形成したことを特徴とした収納箱が提案されている。
【００１０】
単に箱の上面に取り出し用切り取り線を設けただけのものであると、切り取り線に沿って切除して箱の上面に取り出し口を設け、この取り出し口より箱に収容したティッシュペーパーを取り出して使用していると箱の上面の取り出し口と残りのティッシュペーパーとの間隔が次第に大きくなっていくので、箱よりティッシュペーパーが取り出しにくくなるという問題に対する対策として、上記の各提案は一定の効果が認められる。
【００１１】
しかしながら、上記の方法のように、たとえば紙箱の底のような、容器の底部材を切り取りながら嵩上げする方式であると容器の密封性を保つことが難しい。
したがって収納する内容物として密封性を必要とする容器、たとえば乾燥を嫌うウェットティッシュ等の容器として用いることは困難である。
【００１２】
また、容器の部材を一度切取ってしまうと元に戻すことが出来ないので、容器として繰り返し使用することが出来ないという問題点もある。
内容物を持ち上げるジャッキアップの機能と新たに内容物を補充する場合に必要となるジャッキ納めの機能とが繰り返し使えることが望ましい。
【先行技術文献】
【特許文献】
【００１３】
【特許文献１】実開昭５３−６０４３７号公報
【特許文献２】実開昭５６−６２９８１号公報
【特許文献３】実開昭５６−１３５４８０号公報
【特許文献４】実開昭５８−１１９５７７号公報
【発明の概要】
【発明が解決しようとする課題】
【００１４】
本発明は、上記問題点を解決しようとするものであって、密封性を必要とする内容物、たとえば乾燥を嫌うウェットティッシュ等を収納する容器として用いることが出来て、しかも繰り返し使用することが出来る、かんたんに製造することが出来る容器を提供することを課題としている。
【課題を解決するための手段】
【００１５】
上記の課題を解決するための、本発明の請求項１に係る発明は、
上面に取出し蓋を設けた取出し口を備えた箱型の上蓋と、該上蓋と嵌合可能な底蓋からなる箱型容器において、
該底蓋上面の少なくとも２箇所に底蓋と一体に形成された、繰り返して起立と倒伏が可能な底上げブレードと、該底上げブレードを固定するための固定用部材とを備えていることを特徴とする底嵩上げ機能を有する箱型容器である。
【発明の効果】
【００１６】
本発明の底嵩上げ機能を有する箱型容器によれば、密封性を必要とする内容物、たとえば乾燥を嫌うウェットティッシュ等を収納する容器としても用いることが出来て、しかも繰り返し使用することが出来る、かんたんに製造することが出来る。
【００１７】
すなわち、本発明の底嵩上げ機能を有する箱型容器によれば、上面に取出し蓋を設けた取出し口を備えた箱型の上蓋と該上蓋と嵌合可能な底蓋からなる箱型容器において、該底蓋上面の少なくとも２箇所に底蓋と一体に形成された、繰り返して起立と倒伏が可能な底上げブレードと、該底上げ部材を固定するための固定用部材とを備えていることによって、内容物が少なくなって収納されている内容物の上面の取出し口からの距離が離れてきた場合でも、底上げブレードを底蓋上面から起立させることによって内容物を上方に押し上げてさらにその状態で底上げブレードを固定部材に固定することによって安定して内容物表面を取り出し口に近づけた状態で固定することが出来る（図１参照）。尚、取出し蓋は上蓋に一体に形成されていても、別体で形成されて嵌め込まれていてもよく、これらに限定されるものでもない。
このようにして内容物が少なくなった場合でも取り出し易い箱型容器とすることが出来る。
【００１８】
また、底蓋上面に底蓋と一体に形成された、繰り返して起立と倒伏が可能な底上げ部材と、それを固定するための固定用部材とを備えているので底上げを行うときに底蓋を破る必要がない。このために、底上げ部材を起立した場合でも密閉性（密封性）を保つことが出来るので乾燥を嫌うウェットティッシュ等の内容物に対しても好適に使用することが可能である。
【００１９】
さらに、通常はプラスチックの成型により製造する製品であることから紙容器と比べてある程度の強度を有しているため、底上げ時の安定性にすぐれているだけでなく繰り返し使用が可能である。
とくに底上げ時の安定性は固定用部材で左右へのブレ、傾きを防止しているので優れている。固定用部材に嵌合するとき無理嵌めするのでカチット感もあり、ロック位置も確認し易い。
成型工程については、底蓋と一体なのでコストが安く脆弱ヒンジを採用することで、別金型など金型を複数必要とすることなく、ひとつの金型で対応可能となり、低コストでの作成が可能である。
【図面の簡単な説明】
【００２０】
【図１】軟包装体を収納した初期の箱型容器の断面（Ａ）と軟包装体の半分を使用後の箱型容器の断面（Ｂ）。
【図２】底上げブレード倒伏時の本発明の箱型容器の底蓋。（Ａ）は上面図、（Ｂ）はＸ−Ｘ’断面図。
【図３】内容物が半分に減ったときの本発明の箱型容器の底蓋。（Ａ）は上面図、（Ｂ）はＸ−Ｘ’断面図。
【図４】底上げ部材が固定部材の溝に嵌った状態を示す説明図。（Ａ）は概観図、（Ｂ）は断面図。
【図５】従来の箱入りティッシュペーパーの収納箱の一例の底面図（Ａ）及び側断面図（Ｂ）。
【図６】従来の箱入りティッシュペーパーの収納箱の他の一例の底面図（Ａ）及び側断面図（Ｂ）。
【図７】従来の箱入りティッシュペーパーの収納箱の他の一例の底面図（Ａ）及び側断面図（Ｂ）。
【発明を実施するための形態】
【００２１】
本発明に係る底嵩上げ機能を有する箱型容器の実施形態の一例について必要に応じて図１から図４を援用して説明する。
【００２２】
本発明の底嵩上げ機能を有する箱型容器（１）は図１の（Ａ）および（Ｂ）に示したように、上面に取出し蓋（２）の嵌まる取出し口（３）を備えた箱型の上蓋（４）と、該上蓋（４）と嵌合可能な底蓋（１０）とからなる箱型容器において、該底蓋（１０）上面の少なくとも２箇所に底蓋（１０）と一体に形成された、繰り返して起立と倒伏が可能な底上げブレード（ａ）と、該底上げブレード（ａ）を固定するための固定用部材（ｂ）とを備えていることを特徴とする箱型容器である。
ここでは底上げブレード（ａ）を底蓋（１０）と一体に形成して繰り返して起立と倒伏が可能とする接合方法として脆弱ヒンジ（ｃ）を用いている。
【００２３】
この底嵩上げ機能を有する箱型容器（１）の底蓋（１０）上面の底上げブレード（ａ）が倒伏（起立していない）した状態で上蓋（４）を外して内容物として軟包装体（ｄ）を一杯に収納して上蓋（４）および取出し蓋（２）を被せた初期の箱型容器の断面を（Ａ）に示した。
【００２４】
また、初期の内容量の約半分を使用した後に、取出し蓋（２）を再び外して取出し口（３）から軟包装体（ｄ）を取出し、底蓋（１０）上面の底上げブレード（ａ）を起立させて固定用部材（ｂ）の凹みに固定して、軟包装体（ｄ）を収納して上蓋（４）および取出し蓋（２）を被せて、軟包装体（ｄ）の底面を押し上げている状態の箱型容器（１）の断面を（Ｂ）に示した。
【００２５】
本発明の箱型容器のこのような構造によれば、上面に取出し蓋（３）の嵌まる取出し口（２）を備えた箱型の上蓋（４）と該上蓋と嵌合可能な底蓋（１０）とからなる箱型容器において、底蓋（１０）上面の少なくとも２箇所に底蓋（１０）と一体に形成された、繰り返して起立と倒伏が可能な底上げブレード（ａ）と、該底上げブレード（ａ）を固定するための固定用部材（ｂ）とを備えていることによって、内容物が少なくなって収納されている内容物（ｄ）の上面の取出し口からの距離が離れてきた場合でも、底上げブレード（ａ）を底蓋上面から起立させることによって内容物を上方に押し上げてさらにその状態で底上げブレード（ａ）を固定用部材（ｂ）に固定することによって安定して内容物表面を取り出し口（２）に近づけた状態で固定することが出来る。このようにして内容物が少なくなった場合でも取り出し易い箱型容器とすることが出来る。
【００２６】
本発明の底嵩上げ機能を有する箱型容器（１）に用いる底蓋（１０）の上面図および断面図を図２および図３に示した。
図２は底上げブレード（ａ）が倒伏した状態すなわち図１の（Ａ）に相当する底蓋（１０）の状態を示し、図３は底上げブレード（ａ）が起立した状態すなわち図１の（Ｂ）に相当する底蓋（１０）の状態を示している。
【００２７】
図２では底蓋（１０）の上面の対称な二組の位置に底上げブレード（ａ）と固定用部材（ｂ）が配置されており、それぞれの底上げブレード（ａ）はその回転中心が固定用部材（ｂ）近傍にある脆弱ヒンジ（ｃ）によって底蓋（１０）の表面と接合されていて倒伏している。
【００２８】
また、図３では底蓋（１０）の上面の対称な二組の位置に底上げブレード（ａ）と固定用部材（ｂ）が配置されており、それぞれの底上げブレード（ａ）はその回転中心が固定部材（ｂ）近傍にある脆弱ヒンジ（ｃ）によって底蓋（１０）の表面と接合されているが
倒伏せずに起立している。
【００２９】
底上げブレード（ａ）の倒伏した状態（図２）から底上げブレード（ａ）の起立した状態（図３）にするためには図２の矢印のように脆弱ヒンジ（ｃ）を起点に指等で回動させればよい。
底上げブレード（ａ）の中央部の下端が固定用部材（ｂ）を跨ぐ位置で固定用部材の凹み部分に無理嵌めすることになるのでカチット音がするあるいは指の感覚で固定位置を確認することが出来る。
【００３０】
この起立状態を拡大したのが図４の底上げブレード（ａ）が固定部材（ｂ）の溝に嵌った状態を示す説明図である。
【００３１】
脆弱ヒンジ（ｃ）を起点に回動して起立した底上げブレード（ａ）は直角付近の一定の角度になるとその底部が固定用部材（ｂ）の上部と接触する。
このとき、図４に示すよう固定用部材（ｂ）の上部に凹部が形成してあれば起立した底上げブレード（ａ）はその位置で確実に固定され安定して内容物を支えられる。
【００３２】
内容物（ｄ）がなくなって新たに補充するときに底上げブレード（ａ）の起立した状態（図３）から底上げブレード（ａ）の倒伏した状態（図２）にするためには、図３の矢印のように脆弱ヒンジ（ｃ）を起点に指等で回動させればよい。
底上げブレード（ａ）の倒伏した状態と起立した状態はこのようにして繰り返し実施することが可能である。
【００３３】
このように、本発明の底嵩上げ機能を有する箱型容器を用いることによって、ウェットティッシュ等の内容物を順次使用してゆく容器に対して、内容物が少なくなると底上げブレードを起立させてロックすることで軟包装体を上方に保持して取り出しやすくすることが可能になる。
くわえて本発明の底嵩上げ機能を有する箱型容器は密閉性に優れているのみならず繰り返し使用も可能である。
【００３４】
本発明の底嵩上げ機能を有する箱型容器は公知の射出成型等の成型方法によって作成することが出来、成形樹脂としては、スチレン系樹脂、アクリル系樹脂、ポリカーボネート樹脂、ポリ塩化ビニル樹脂、ＡＢＳ樹脂、ポリエステル系樹脂、オレフィン系樹脂などの熱可塑性樹脂、あるいはこれらにガラス繊維などの充填剤を添加したもの等が挙げられる。
【産業上の利用可能性】
【００３５】
本発明の底嵩上げ機能を有する箱型容器は軟包装体やウェットティッシュのような内容物で、内容物が少なくなると取り出しにくくなる場合に底上げする方式として有効であり、ウェットティッシュ、紙等の、折り畳みの紙ティッシュ関係に利用できる。
【符号の説明】
【００３６】
１…本発明の底嵩上げ機能を有する箱型容器
１０…底蓋
ａ…底上げブレード
ｂ…固定用部材
ｃ…脆弱ヒンジ
ｄ…軟包装体
２…取出し蓋
３…取出し口
４…上蓋
【図１】
2014024588.tif 000003
【図２】
2014024588.tif 000004
【図３】
2014024588.tif 000005
【図４】
2014024588.tif 000006
【図５】
2014024588.tif 000007
【図６】
2014024588.tif 000008
【図７】
2014024588.tif 000009